(57)【要約】【課題】低電圧駆動が可能で、輝度差を解消または低減し表示品質を向上することができるプラズマディスプレイパネルを提供する。【解決手段】複数の表示電極対を有した前面板と、データ電極、蛍光体層および隔壁とを有した背面板とを、放電セルを形成して、対向配置し、前記複数の表示電極対は放電ギャップを形成し、前記蛍光体層は、赤色蛍光体層、緑色蛍光体層、および青色蛍光体層とで構成され、前記赤色蛍光体層、前記緑色蛍光体層、または前記青色蛍光体層いずれかを形成した前記放電セルの前記隔壁であって、前記前面板の前記放電ギャップに相当する領域に、突起部を有する、プラズマディスプレイパネル。【選択図】図７
2013020745.tif 000002
【特許請求の範囲】
【請求項１】
複数の表示電極対を有した前面板と、データ電極、蛍光体層および隔壁とを有した背面板とを、放電セルを形成して、対向配置し、
前記複数の表示電極対は放電ギャップを形成し、
前記蛍光体層は、赤色蛍光体層、緑色蛍光体層、および青色蛍光体層とで構成され、
前記赤色蛍光体層、前記緑色蛍光体層、または前記青色蛍光体層いずれかを形成した前記放電セルの前記隔壁であって、前記前面板の前記放電ギャップに相当する領域に、突起部を有する、プラズマディスプレイパネル。
【請求項２】
前記突起部が形成された前記放電セルの前記隔壁間距離をＤ１、
前記放電ギャップの長さをＤ２、
前記突起部の前記表示電極長手方向の長さをＷｘ、前記突起部の前記データ電極長手方向の長さをＷｙとし、
かつ、Ｄ１に対するＷｘの比をＲｘ、Ｄ２に対するＷｙの比をＲｙとし、
０．１＜Ｒｘ＜０．１７５
０．６＜Ｒｙ＜１．２５
である、請求項１に記載のプラズマディスプレイパネル。
【請求項３】
前記突起部が形成されているのが、前記青色蛍光体層である、請求項２に記載のプラズマディスプレイパネル。
【発明の詳細な説明】
【技術分野】
【０００１】
本発明は、表示デバイスなどに用いるプラズマディスプレイパネルに関する。
【背景技術】
【０００２】
プラズマディスプレイパネル（以下、ＰＤＰと呼ぶ）は、高精細化、大画面化の実現が可能であることから、１００インチクラスのテレビなどが製品化されている。近年、ＰＤＰにおいては、従来のＮＴＳＣ方式に比べて走査線数が２倍以上の高精細テレビへの適用が進められており、エネルギー問題に対応してさらなる消費電力低減への取り組みや、環境問題に配慮した鉛成分を含まないＰＤＰへの要求なども高まっている。
【０００３】
ＰＤＰは、基本的には、前面板と背面板とで構成されている。前面板はガラス基板と、ガラス基板の一方の主面上に形成されたストライプ状の透明電極とバス電極とで構成される表示電極と、表示電極を覆ってコンデンサとしての働きをする誘電体層と、誘電体層上に形成された酸化マグネシウム（ＭｇＯ）からなる保護膜とで構成されている。
【０００４】
一方、背面板は、ガラス基板と、その一方の主面上に形成されたストライプ状のデータ電極と、データ電極を覆う絶縁体層と、絶縁体層上に形成された隔壁と、各隔壁間に形成された赤色、緑色及び青色それぞれに発光する蛍光体層とで構成されている。
【０００５】
前面板と背面板とはその電極形成面側を対向させて気密封着され、隔壁によって仕切られた放電空間に放電ガスが封入されている。ＰＤＰは、表示電極に映像信号電圧を選択的に印加することによって放電させ、その放電によって発生した紫外線が各色蛍光体層を励起して赤色、緑色、青色の発光をさせてカラー画像表示を実現している。
【０００６】
また、このようなＰＤＰの駆動方法としては、書き込みをしやすい状態に壁電荷を調整する初期化期間と、入力画像信号に応じて書き込み放電を行う書き込み期間と、書き込みが行われた放電空間で維持放電を生じさせることによって表示を行う維持期間を有する駆動方法が一般的に用いられている。これらの各期間を組み合わせた期間（サブフィールド）が、画像の１コマに相当する期間（１フィールド）内で複数回繰り返されることによってＰＤＰの階調表示を行っている。
【０００７】
このようなＰＤＰの維持放電において、面内での点灯率が高く同時に放電するセルが多い場合、放電電流が集中し表示電極に印加した電圧が低下する現象（電圧ドロップ）が発生する。そのため維持放電期間に印加する電圧は、この電圧ドロップを考慮に入れて設定する必要がある。また、面内で電圧ドロップの大小が存在する場合、セルの印加電圧の違いによって輝度差が生じ、表示品位の低下にも繋がる。
【０００８】
一方、ＰＤＰの大型、高精細化に伴って配線抵抗が増加し、電圧ドロップも拡大する傾向にあるため、電圧ドロップを小さく抑えることが必要になっている。
【０００９】
このような課題を解決する手段の一つとして、例えば特許文献１や特許文献２の様に放電電流のピーク値低減を目的に、前面板の表示電極延長方向のセルで電極の放電ギャップ部分の幅や位置などを変化させる方法が考えられ提案されているが、これらの提案のように、繰り返しピッチが短い表示電極延長方向での変化を前面板の電極で実施する場合、その後の前面板と背面板の重ね合わせに高い精度が必要とされ、生産性に課題が残ってしまう。
【先行技術文献】
【特許文献】
【００１０】
【特許文献１】特許第３５４７２６７号公報
【特許文献２】特開２００９−２３８６７７号公報
【発明の概要】
【発明が解決しようとする課題】
【００１１】
ＰＤＰの大型、高精細化に伴う配線抵抗増加によって電圧ドロップが増加すると共に、電圧ドロップの大小によって生じる輝度差も拡大し表示品位が低下してしまう。
【００１２】
本発明はこのような課題に鑑みなされたもので、突起部の有無で維持放電のタイミングがずれることによりピーク電流値及び電圧ドロップを抑制し、低電圧駆動が可能で、輝度差を解消または低減することができ、表示品質を向上することができるＰＤＰを実現することを目的としている。
【課題を解決するための手段】
【００１３】
上記の目的を達成するために、本発明のＰＤＰは、複数の表示電極対を有した前面板と、データ電極、蛍光体層および隔壁とを有した背面板とを、放電セルを形成して、対向配置し、前記複数の表示電極対は放電ギャップを形成し、前記蛍光体層は、赤色蛍光体層、緑色蛍光体層、および青色蛍光体層とで構成され、前記赤色蛍光体層、前記緑色蛍光体層、または前記青色蛍光体層いずれかを形成した前記放電セルの前記隔壁であって、前記前面板の前記放電ギャップに相当する領域に、突起部を有する、を特徴とする。
【発明の効果】
【００１４】
本発明によれば、低電圧駆動が可能で、輝度差を解消または低減し表示品質を向上することができるＰＤＰを実現することができる。
【図面の簡単な説明】
【００１５】
【図１】本発明の実施形態におけるＰＤＰの構造を示す斜視図
【図２】同ＰＤＰの放電セル部分の構成を示す断面図
【図３】同ＰＤＰの電極配列を示す図
【図４】同ＰＤＰを用いたＰＤＰ装置の全体構成を示すブロック図
【図５】同ＰＤＰの各電極に印加する駆動電圧波形を示す波形図
【図６】同ＰＤＰの表示電極と隔壁の構成を示す上面図
【図７】従来技術のＰＤＰと本発明の実施形態におけるＰＤＰの維持放電のタイミングとピーク電流および電圧ドロップの状態を示す図
【図８】本発明の実施形態におけるＰＤＰの突起部１３ｃの長さＷｘと維持放電電圧及び電圧ドロップ抑制効果の関係を示す図
【図９】同ＰＤＰの突起部１３ｃの長さＷｘと総合的な効果の関係を示す図
【図１０】同ＰＤＰの突起部１３ｃの幅Ｗｙと効果が最大となる突起部１３ｃの長さＷｘの関係を示す図
【発明を実施するための形態】
【００１６】
以下、本発明の実施の形態におけるＰＤＰについて図面を用いて説明する。
【００１７】
（実施の形態）
まず、実施の形態に係るＰＤＰ１００の全体構成を、図１〜図３を用いて説明する。
【００１８】
図１に示されるように、ＰＤＰ１００は、前面板１と背面板２とで構成されている。前面板１と背面板２とは、間に放電空間３を形成するように対向して配置される。
【００１９】
前面板１は、基板４、表示電極７、誘電体層８および保護膜９で構成されている。ガラス製の基板４上に、導電性の表示電極７が行方向に複数本配列されている。表示電極７は、第１電極である走査電極５と第２電極である維持電極６とで構成されている。走査電極５と維持電極６とは、間に放電ギャップ２４を設けて互いに平行に配置されている。ガラス材料からなる誘電体層８は、走査電極５と維持電極６とを覆うように形成されている。誘電体層８上には、酸化マグネシウム（ＭｇＯ）からなる保護膜９が形成されている。
【００２０】
透明電極５ａ、６ａは、インジウムスズ酸化物（ＩＴＯ）などである。バス電極５ｂ、６ｂは、銀（Ａｇ）などの導電性金属を含む。
【００２１】
図１に示されるように、背面板２は、基板１０と、絶縁体層１１と、データ電極１２と、隔壁１３と、蛍光体層１４Ｒ、１４Ｇ、１４Ｂとで構成されている。ガラス製の基板１０上に、Ａｇからなる複数本のデータ電極１２が設けられている。データ電極１２は、列方向にストライプ状に配列されている。データ電極１２は、ガラス材料からなる絶縁体層１１で覆われている。絶縁体層１１上には、ガラス材料からなる井桁状の隔壁１３が設けられている。隔壁１３は、前面板１と背面板２との間に形成される放電空間３を、放電セル１５毎に区画する。絶縁体層１１の表面および隔壁１３の側面には、赤色（Ｒ）、緑色（Ｇ）、青色（Ｂ）の蛍光体層１４Ｒ、１４Ｇ、１４Ｂが設けられている。
【００２２】
そして、走査電極５および維持電極６とデータ電極１２とが交差するように、前面板１と背面板２とは対向配置される。図３に示されるように、走査電極５および維持電極６とデータ電極１２とが交差する領域には、放電セル１５が設けられている。放電空間３には、放電ガスとして、例えばネオンとキセノンの混合ガスが封入されている。
【００２３】
ここで、図２に示されるように、放電セル１５を形成する井桁形状の隔壁１３は、縦隔壁１３ａと、横隔壁１３ｂと突起部１３ｃから構成されている。縦隔壁１３ａは、データ電極１２に平行に形成されている。横隔壁１３ｂは、縦隔壁１３ａに直交するように形成されている。さらに、青色蛍光体層１４Ｂが塗布される放電セルに限り、走査電極５と維持電極６が形成する放電ギャップに対応する位置の縦隔壁１３ａに、突起部１３ｃが形成されている。蛍光体層１４Ｒ、１４Ｇ、１４Ｂは、縦隔壁１３ａに沿ってストライプ状に、隔壁１３内に塗布されている。蛍光体層１４Ｒ、１４Ｇ、１４Ｂは、青色蛍光体層１４Ｂ、赤色蛍光体層１４Ｒ、緑色蛍光体層１４Ｇの順に配列されている。
【００２４】
走査電極５は、行方向に長いｎ本の走査電極Ｙ１、Ｙ２、Ｙ３・・・Ｙｎで構成されている。維持電極６は、行方向に長いｎ本の維持電極Ｘ１、Ｘ２、Ｘ３・・・Ｘｎで構成されている。データ電極１２は、列方向に長いｍ本のデータ電極Ａ１・・・Ａｍで構成されている。１対の走査電極Ｙｐおよび維持電極Ｘｐ（１≦ｐ≦ｎ）と、１本のデータ電極Ａｑ（１≦ｑ≦ｍ）と、が交差した領域には、放電セル１５が形成されている。放電セル１５は、放電空間３内にｍ×ｎ個形成されている。走査電極５および維持電極６は、走査電極Ｙ１−維持電極Ｘ１−維持電極Ｘ２−走査電極Ｙ２・・・のパターンで、前面板１に形成されている。走査電極５および維持電極６は、放電セル１５が形成された画像表示領域の外に設けられた駆動回路の端子に接続されている。
【００２５】
次に、上述したＰＤＰ１００を用いたプラズマディスプレイ装置２００の全体構成および駆動方法を説明する。
【００２６】
図４に示されるように、ＰＤＰ装置２００は、図１〜図３に示される構成のＰＤＰ１００、画像信号処理回路１６、データ電極駆動回路１７、走査電極駆動回路１８、維持電極駆動回路１９、タイミング発生回路２０および電源回路（図示せず）を備えている。データ電極駆動回路１７は、ＰＤＰ１００のデータ電極１２の一端に接続されている。データ電極駆動回路１７は、データ電極１２に電圧を供給するための半導体素子からなる複数のデータドライバを有している。データ電極１２は、数本ずつのデータ電極１２を１ブロックとして複数のブロックに分割されている。データ電極１２は、そのブロック単位で複数のデータドライバをＰＤＰ１００の下端部に設けられた電極引出部に接続されている。
【００２７】
図４において、画像信号処理回路１６は、画像信号ｓｉｇをサブフィールド毎の画像データに変換する。データ電極駆動回路１７は、サブフィールド毎の画像データを各データ電極Ａ１〜Ａｍに対応する信号に変換し、各データ電極Ａ１〜Ａｍを駆動する。タイミング発生回路２０は、水平同期信号Ｈおよび垂直同期信号Ｖをもとにして各種のタイミング信号を発生させ、各駆動回路ブロックに各種のタイミング信号を供給する。走査電極駆動回路１８は、タイミング信号にもとづいて走査電極Ｙ１〜Ｙｎに駆動電圧波形を供給する。維持電極駆動回路１９は、タイミング信号にもとづいて維持電極Ｘ１〜Ｘｎに駆動電圧波形を供給する。なお、維持電極の一端は、ＰＤＰ１００内、またはＰＤＰ１００外において共通に接続され、その共通に接続された配線は、維持電極駆動回路１９に接続されている。
【００２８】
次に、ＰＤＰ１００を駆動するための駆動電圧波形とその動作について図５を用いて説明する。
【００２９】
実施の形態１に係るＰＤＰ１００において、１フィールドは複数のサブフィールドに分割され、それぞれのサブフィールドは、初期化期間、書込み期間、維持期間を有している。
【００３０】
第１サブフィールドの初期化期間では、データ電極Ａ１〜Ａｍおよび維持電極Ｘ１〜Ｘｎは０（Ｖ）に保持される。走査電極Ｙ１〜Ｙｎは、放電開始電圧以下となる電圧Ｖｉ１（Ｖ）から放電開始電圧を超える電圧Ｖｉ２（Ｖ）に向かって緩やかに上昇するランプ電圧が印加される。すると、すべての放電セル１５において１回目の微弱な初期化放電が発生し、走査電極Ｙ１〜Ｙｎ上に負の壁電圧が蓄えられる。また、維持電極Ｘ１〜Ｘｎ上およびデータ電極Ａ１〜Ａｍ上に正の壁電圧が蓄えられる。これにより、ここで、電極上の壁電圧とは、電極を覆う誘電体層および蛍光体層上等に蓄積した壁電荷により生じる電圧を指す。
【００３１】
その後、維持電極Ｘ１〜Ｘｎは正の電圧Ｖｈ（Ｖ）に保たれ、走査電極Ｙ１〜Ｙｎは、電圧Ｖｉ３（Ｖ）から電圧Ｖｉ４（Ｖ）に向かって緩やかに下降するランプ電圧が印加される。すると、すべての放電セル１５において２回目の微弱な初期化放電が起こる。これにより、走査電極Ｙ１〜Ｙｎ上と維持電極Ｘ１〜Ｘｎ上との間の壁電圧は、弱められ、書込み動作に適した値に調整される。データ電極Ａ１〜Ａｍ上の壁電圧も書込み動作に適した値に調整される。
【００３２】
続く書込み期間では、走査電極Ｙ１〜Ｙｎは一旦Ｖｒ（Ｖ）に保持される。次に、１行目の走査電極Ｙ１は、負の走査パルス電圧Ｖａ（Ｖ）を印加される。また、データ電極Ａ１〜Ａｍのうち１行目に表示すべき放電セル１５のデータ電極Ａｋ（ｋ＝１〜ｍ）は、正の書込みパルス電圧Ｖｄ（Ｖ）が印加される。このときデータ電極Ａｋと走査電極Ｙ１との交差部の電圧は、外部印加電圧（Ｖｄ−Ｖａ）（Ｖ）にデータ電極Ａｋ上の壁電圧と走査電極Ｙ１上の壁電圧とが加算されたものとなり、放電開始電圧を超える。そして、データ電極Ａｋと走査電極Ｙ１との間および維持電極Ｘ１と走査電極Ｙ１との間に書込み放電が起こる。これにより、この放電セル１５の走査電極Ｙ１上に正の壁電圧が蓄積され、維持電極Ｘ１上に負の壁電圧が蓄積される。このとき、データ電極Ａｋ上にも負の壁電圧が蓄積される。
【００３３】
このようにして、１行目に表示すべき放電セル１５で書込み放電が起こり、各電極上に壁電圧を蓄積する書込み動作が行われる。一方、書込みパルス電圧Ｖｄ（Ｖ）が印加されなかったデータ電極Ａ１〜Ａｍと走査電極Ｙ１との交差部の電圧は放電開始電圧を超えないので、書込み放電は発生しない。以上の書込み動作がｎ行目の放電セル１５に至るまで順次行われ、書込み期間が終了する。
【００３４】
続く維持期間では、走査電極Ｙ１〜Ｙｎには第１の電圧として正の維持パルス電圧Ｖｓ（Ｖ）が印加される。維持電極Ｘ１〜Ｘｎには第２の電圧として接地電位、すなわち０（Ｖ）が印加される。このとき書込み放電を起こした放電セル１５においては、走査電極Ｙｉ（ｉ＝１〜ｎ）上と維持電極Ｘｉ（ｉ＝１〜ｎ）上との間の電圧は、維持パルス電圧Ｖｓ（Ｖ）に走査電極Ｙｉ上の壁電圧と維持電極Ｘｉ上の壁電圧とが加算されたものとなり、放電開始電圧を超える。そして、走査電極Ｙｉと維持電極Ｘｉとの間に維持放電が起こり、このとき発生した紫外線により蛍光体層が発光する。そして走査電極Ｙｉ上に負の壁電圧が蓄積され、維持電極Ｘｉ上に正の壁電圧が蓄積される。このときデータ電極Ａｋ上にも正の壁電圧が蓄積される。
【００３５】
書込み期間において書込み放電が起きなかった放電セル１５では、維持放電は発生せず、初期化期間の終了時における壁電圧が保持される。続いて、走査電極Ｙ１〜Ｙｎには第２の電圧である０（Ｖ）が印加される。維持電極Ｘ１〜Ｘｎには第１の電圧である維持パルス電圧Ｖｓ（Ｖ）が印加される。すると、維持放電を起こした放電セル１５では、維持電極Ｘｉ上と走査電極Ｙｉ上との間の電圧が放電開始電圧を超えるので、再び維持電極Ｘｉと走査電極Ｙｉとの間に維持放電が起こる。そして維持電極Ｘｉ上に負の壁電圧が蓄積され、走査電極Ｙｉ上に正の壁電圧が蓄積される。
【００３６】
以降同様に、走査電極Ｙ１〜Ｙｎと維持電極Ｘ１〜Ｘｎとに交互に輝度重みに応じた数の維持パルスが印加されることにより、書込み期間において書込み放電を起こした放電セル１５で維持放電が継続して行われる。こうして維持期間における維持動作が終了する。続くサブフィールドにおける初期化期間、書込み期間、維持期間の動作も第１サブフィールドにおける動作とほぼ同様のため、説明は省略する。
【００３７】
次に本発明の実施の形態における突起部１３ｃの詳細について説明する。
【００３８】
図１、図２、及び図６に示すように、突起部１３ｃは青色蛍光体層１４Ｂ、赤色蛍光体層１４Ｒ、緑色蛍光体層１４Ｇのいずれかに形成される。発明者らが検討した結果、青色蛍光体層１４Ｂにのみ突起部１３ｃが形成されることが望ましいことがわかった。
【００３９】
また突起部１３ｃは走査電極５と維持電極６が形成する放電ギャップ２４に対応する位置の縦隔壁１３ａに、表示電極７方向に延びるように形成されている。
【００４０】
さらに突起部１３ｃの形状としては、突起部１３ｃが形成されるセルを区画する縦隔壁１３ａ間の距離をＤ１、放電ギャップ２４の長さをＤ２、突起部１３ｃの表示電極７長手方向の長さとデータ電極１２長手方向の幅をそれぞれＷｘ、Ｗｙとし、更にＤ１に対するＷｘの比をＲｘ、Ｄ２に対するＷｙの比をＲｙとしたとき、
０．１＜Ｒｘ＜０．１７５
０．６＜Ｒｙ＜１．２５
であることが望ましい。
【００４１】
次に、上記構造とした理由について説明する。一般的にＰＤＰは、同時に放電するセルが多い場合、放電電流が集中し電圧ドロップが発生する。電圧ドロップが起こるとセルに印加される電圧も低下することになり、輝度も低下する。したがって、電圧ドロップの大小がＰＤＰ面内で存在する場合、輝度差が生じ表示品位の低下につながってしまう。
【００４２】
図７は、突起部１３ｃが形成されていない従来の技術と、突起部１３ｃを有する本発明の実施形態で、維持放電のタイミングとピーク電流および電圧ドロップに関して示したイメージ図である。
【００４３】
突起部１３ｃが存在しない従来の技術では、放電がほぼ同じタイミングで起こるため、ピーク電流が増加し電圧ドロップも大きい。一方、突起部１３ｃがある場合、無い場合に比べて放電ギャップ付近の電界強度は弱くなり、維持放電のタイミングは遅くなる。
【００４４】
また、本発明の実施形態のように突起部１３ｃが全体の１／３のセルに存在する場合、放電タイミングが分散しピーク電流が抑えられると共に電圧ドロップも抑えられるため、輝度差が解消もしくは軽減される。さらには、電圧ドロップが解消される分、維持放電の設定電圧を低く設定することも可能となる。
【００４５】
ピーク電流を十分に抑制するためには、相応の割合で突起部１３ｃを設ける必要がある。一方で、突起部１３ｃが有るセルと無いセルが同一色の蛍光体で混在すると、突起部１３ｃの有無による隔壁１３の開口率の違いから輝度差が生じ、表示品位としては悪化する。したがって突起部１３ｃの有無の切り換えは、輝度が異なる蛍光体間で行うことが望ましい。
【００４６】
さらに説明を加えると、突起部１３ｃの有無により維持放電の放電タイミングをずらすことが目的であるため、蛍光体の色は何色でも構わないが、突起部１３ｃによって隔壁１３の開口率が低下し輝度も低下することが考えられるため、突起部１３ｃは、輝度の絶対値が小さく、輝度低下の影響を最小限にできる青色蛍光体層１４Ｂが塗布されるセルに形成することが望ましい。
【００４７】
図８は、Ｒｙ＝０．５７のときのＲｘと維持放電電圧及び電圧ドロップ抑制効果の関係を、ＰＤＰの実測値とシミュレーションから算出したものである。図８に示したように、Ｒｘが０．１２５以上で電圧ドロップの抑制は飽和傾向になる。一方、維持放電電圧はＲｘに応じて上昇していく。したがって電圧ドロップ抑制効果と維持電圧上昇を足し合わせた値を総合的な効果を示す指標とした場合、図９に示すような関係性が得られ、このグラフより十分な効果が得られるのは、０．１＜Ｒｘ＜０．１７５の範囲となる。
【００４８】
さらに図１０は、Ｒｙと効果が最大となるＲｘとの関係を示す。これによると、Ｒｙが０．６以上でＲｘの変化が小さくなることがわかる。一方でＲｙが大き過ぎると、開口率低下に起因して輝度も大幅に低下してしまう。以上のことから、Ｒｙは０．６〜１．２５であることが望ましい。以上が、前述の構造にした理由である。
【産業上の利用可能性】
【００４９】
以上のように本発明は、低電圧駆動が可能で、輝度差を解消または低減し表示品質を向上することができるＰＤＰを実現する上で有用な発明である。
【符号の説明】
【００５０】
１  前面板
２  背面板
３  放電空間
４，１０  基板
５  走査電極
６  維持電極
５ａ，６ａ  透明電極
５ｂ，６ｂ  バス電極
７  表示電極
８  誘電体層
９  保護膜
１１  絶縁体層
１２  データ電極
１３  隔壁
１４Ｒ，１４Ｇ，１４Ｂ  蛍光体層
１５  放電セル
１６  画像信号処理回路
１７  データ電極駆動回路
１８  走査電極駆動回路
１９  維持電極駆動回路
２０  タイミング発生回路
２４  放電ギャップ
１００  ＰＤＰ（プラズマディスプレイパネル）
２００  プラズマディスプレイ（ＰＤＰ）装置
【図１】
2013020745.tif 000003
【図２】
2013020745.tif 000004
【図３】
2013020745.tif 000005
【図４】
2013020745.tif 000006
【図５】
2013020745.tif 000007
【図６】
2013020745.tif 000008
【図７】
2013020745.tif 000009
【図８】
2013020745.tif 000010
【図９】
2013020745.tif 000011
【図１０】
2013020745.tif 000012